(57)【特許請求の範囲】
【請求項１】
底面反射板の両側縁に、この両側縁から外側にテーパ状に拡がる側面反射板をそれぞれ接続し、前記底面反射板のほぼ中央に蛍光燈を取り付け、この蛍光燈の制御機器を一方の側面反射板の裏面に取り付け、この制御機器を電源に接続するコネクタと他の制御機器に電源を供給するコネクタとを設けた照明ユニットにおいて、
前記底面反射板の両側縁部とそれぞれの側面反射板の側縁部をほぼく字形に折れ曲った
平坦な受け板を有する形材の前記受け板によって接続・支持し、同様の形材を前記それぞれの側面反射板の上端に接続したことを特徴とする看板用照明ユニット。
【請求項２】
前記底面反射板の両側縁部の両面に、ほぼく字形に折れ曲った平坦な受け板を有する一対の形材の受け板をそれぞれ接続し、外側にテーパ状に拡がる側面反射板の側縁部をそれぞれ前記受け板に接続し、前記底面反射板の両面に前記蛍光燈を半分ずつ露出するように取り付けた請求項１に記載の看板用照明ユニット。
【請求項３】
前記底面反射板に対するそれぞれの側面反射板の角度がほぼ１３５°である請求項１又は２に記載の看板用照明ユニット。
【請求項４】
前記形材の前記受け板の裏面に平坦面を有し、隣接する照明ユニットの側面反射板の上端に接続した形材の裏面平坦面を向い合せて当接し、受け板を連結することによって照明ユニットを接続可能とした請求項１〜３のいずれかに記載の看板用照明ユニット。
【請求項５】
前記底面反射板に取り付けられたそれぞれの側面反射板の角度がほぼ１３５°であり、前記隣接する照明ユニットの側面反射板間の角度がほぼ直角である請求項４に記載の看板用照明ユニット。
【発明の詳細な説明】
【０００１】
【発明の技術分野】
この発明は、透明パネルに画いた文字・図形等を裏面から照明するタイプの看板に用いられる照明ユニットに関する。
【０００２】
【従来の技術】
従来、この種の照明型看板は、例えば特開平３−７３９９２号公報や、特開２０００−１４８０５１号公報に示されているように、ケース内に反射板を設け、蛍光燈のような光源を設けたものが一般的である。このような照明型看板を組立てるには、ケース内に反射板を取り付け、さらに蛍光燈のほか安定器、グローランプ、進相コンデンサなどの制御機器を配線と共に取り付ける必要がある。
【０００３】
【発明の課題】
通常、上記のような光源は、一個の場合が少なく、複数本、多いときは百個を超える場合も希れでなく、反射板や制御機器の取り付けに非常に手間を要する問題がある。しかも制御機器は光源の反射を阻害しないように取り付ける必要があり、その取り付け位置も配慮しなければならない。
【０００４】
さらに、反射板の形状配置によって同じ光源でも明るさが大きく異なることは明らかであり、ひいては省エネルギの問題にもつながるため、これについても検討する必要がある。
【０００５】
そこで、この発明の課題は、照明型看板を簡単に組立てることができるようにすることである。
【０００６】
この発明の他の課題は、反射板を工夫して出来るだけ明るさを高め、省エネルギをはかることである。
【０００７】
【課題の解決手段】
上記の課題を解決するために、この発明は、底面反射板の両側縁に、この両側縁から外側にテーパ状に拡がる側面反射板をそれぞれ接続し、前記底面反射板のほぼ中央に蛍光燈を取り付け、この蛍光燈の制御機器を一方の側面反射板の裏面に取り付け、この制御機器を電源に接続するコネクタと他の制御機器に電源を供給するコネクタとを設けた看板用照明ユニットにおいて、
前記底面反射板の両側縁部とそれぞれの側面反射板の側縁部をほぼく字形に折れ曲った平坦な受け板を有する形材の前記受け板によって接続・支持し、同様の形材を前記それぞれの側面反射板の上端に接続した構成を採用したのである。
【０００８】
前記底面反射板の両側縁の両面に、側面板をそれぞれ接続することができる。この場合、蛍光燈は底面反射板の両面に半分ずつ露出するように取り付けるのがよい。前記底面反射板に対するそれぞれの側面反射板の角度をほぼ１３５°にしておくのがよい。また、前記形材の受け板の裏面に平坦面を設け、側面反射板の上端に接続した形材の裏面平坦面と隣接する照明ユニットの側面反射板の上端に接続した形材の裏面平坦面を向い合せて連結し、隣接する照明ユニットを接続することができる。これらの隣接する側面反射板間の角度はほぼ直角にしておくのがよい。
【０００９】
【実施の形態】
以下、この発明の実施形態を添付図面に基づいて説明する。図１及び図２に示すように、この発明の照明ユニット１は、反射アセンブリ１０と光源２０より成る。この反射アセンブリ１０は、底面反射板１１と、その両側から外側にテーパ状に拡いた側面反射板１２、１２と、前記底面反射板１１及び側面反射板１２をそれぞれ接続するアルミニウム押し出し形材１３と、それぞれの側面反射板１２の上端に取り付けられたアルミニウム形材１３より成る。アルミニウム形材１３と反射板１１及び１２を固定するには、リベットや木ネジを用いるのが好ましいが、接着剤でもよい。
【００１０】
前記形材１３には、ほぼく字形に折れ曲った平坦な受け板１３ａ、１３ｂが設けられ、前記反射板１１と１２の側縁部を支持している。また、一方の受け板１３ｂの内側縁には、反射板１２の側面が突き当たるストッパ１３ｃが設けられ、反射板１２の位置決めが出来るようになっている。そして、これらの形材１３によって支持される反射板１１と反射板１２の光反射面の角度αは、ほぼ１３５°にして反射アセンブリ１０の反射効率を良好とし、かつ反射板１１、反射板１２、受け板１３ａの光反射面に艶出し白色フィルムを貼り着けるか又は艶出し白色塗膜を形成して見かけ反射率を高めてある。なお、図１中、符号１３ｄは、ケーシング（図示せず）に取り付けるための孔であり、符号１３ｅは形材裏面の平坦面である。
【００１１】
前記光源２０は、蛍光燈２１を底面反射板１１のほぼ中央に取り付けたものであって、後述するごとく（図３）、両面に反射アセンブリ１０を設けて両面を照明する場合には、図１のように底面反射板１１の両面に蛍光燈２１が半分ずつ露出するように取り付ける。勿論、片面照明の場合には、底面反射板１１の反射面上に蛍光燈２１を配置してもよい。
【００１２】
前記蛍光燈２１は、図１に示すように、半円形状金具２２ａ、２２ｂによって外周を挟持されている。金具２２ａ、２２ｂは、反射板１１にボルト・ナット２３によって着脱可能に固定される。この蛍光燈２１の両端は、ソケット２４に挿し込まれている。ソケット２４は、コード２５を介して、反射板１２又は形材１３の裏面に取り付けられた安定器や進相コンデンサ、グローランプ等の制御機器２６に接続され、制御機器２６には電源の供給を受け他のユニット１に電源を供給するコネクタ２７、２８がコード２７ａ、２８ａを介してそれぞれ接続されている。これらのコネクタ２７、２８は、どちらが雌雄であってもよい。また、防水型が好ましい。
【００１３】
図３は両面反射用の照明ユニット１ａを示す。図示のように、底面反射板１１の両側縁部を一対の形材１３、１３で挟持し、図１と同様に側面反射板１２をそれぞれ取り付ければよい。この場合、制御機器２６は、一方の反射アセンブリ１０の裏面に取り付ける。また、底面反射板１１には、両面に艶出し白色フィルムを貼り付けるか、或は艶出し白色塗膜を設ける。
【００１４】
上記のような照明ユニット１を複数個接続するには、図４に示すように、互に隣接する側面反射板１２と１２の上側縁に固定した形材１３の裏面平坦面１３ｅと１３ｅを向い合せて当接させ、受け板１３ａの部分をリベットや木ネジ等で連結する。そして一方のコネクタ２８を隣接する照明ユニット１の他方のコネクタ２７に接続する。このとき、前述の角度αはほぼ１３５°であるから、隣接する側面反射板１２、１２の角度βはほぼ直角である。なお、図示の照明ユニット１は、底面反射板１１を形材１３の受け板１３ａの上面に固着し、蛍光燈２１を底面反射板１１の上面に取り付けた構造になっている。
【００１５】
図３に示す両面反射タイプの照明ユニット１ａを複数個接続する場合も、上述の片面照明ユニット１とほぼ同様にすればよい。
【００１６】
以下に実施例と比較例を挙げる。
【００１７】
【実施例】
図５に示すように、照明ユニットを５基並列した照明装置を用意した。光源Ａは４０Ｗ蛍光燈とし、６００ｍｍのピッチで配置した。反射板は白色フィルムを貼着した鉄板を折り曲げて形成した。互に隣接する側面反射板の角度は図示の通りで、側面反射板の高さＨはいずれも約７５ｍｍであり、直立部Ｂの高さは２０ｍｍであった。
【００１８】
照明装置(イ) (ロ) (ハ) の平均明るさを測定したところ、実施例(イ) は１２００〜１４００ルクス（ｌｕｘ）、比較例(ロ) (ハ) はいずれも１０００ルクス以下であった。
【００１９】
【発明の効果】
この発明によれば、以上のように、照明型看板の照明部をユニット化し、そのユニットを連結するだけで、配線や制御機器の取り付けを必要とせず、照明装置を設置することができるので、作業性が大巾に向上し、コスト節減と品質の安定化をはかることができる。
【００２０】
また、照明ユニットの明るさが出来るだけ大きくなるように工夫したので、省エネルギに貢献でき、維持費用も削減することができる。
【図面の簡単な説明】
【図１】この発明の照明ユニットの一例を示す正面図
【図２】同上の斜視図
【図３】照明ユニットの他の例を示す正面図
【図４】複数の照明ユニットを連結した例を示す正面図
【図５】実施例(イ) と比較例(ロ) (ハ) を示す模式図
【符号の説明】
１、１ａ  照明ユニット
１０  反射アセンブリ
１１  底面反射板
１２  側面反射板
１３  形材
１３ａ、１３ｂ  受け板
１３ｃ  ストッパ
１３ｄ  取り付け孔
１３ｅ  裏面平坦面
２０  光源
２１  蛍光燈
２２ａ、２２ｂ  金具
２３  ボルトナット
２４  ソケット
２５  コード
２６  制御機器
２７、２８  コネクタ
２７ａ、２８ａ  コード
【図１】
0004527258.tif 000002
【図２】
0004527258.tif 000003
【図３】
0004527258.tif 000004
【図４】
0004527258.tif 000005
【図５】
0004527258.tif 000006